(57)【要約】【課題】実行可能な機能が割り付けられたステアリングスイッチの機能内容を、視線移動することなく容易に確認できるスイッチ装置を提供する。【解決手段】車両１０のステアリングコラム２０に回転可能に支持されたステアリング３０の一部に設けられ、押下動作によりスイッチ動作する第１クリック位置、および、さらに押下されてスイッチ動作する第２クリック位置を有するステアリングスイッチ１００と、ステアリングスイッチ１００の第２クリック位置の押下動作による実行可能な機能を割り付ける機能割付部２０１と、第１クリック位置における押下動作時に機能割付部２０１によりステアリングスイッチ１００に割り付けられた実行可能な機能の内容を報知して機能確認を行なうための報知部（コラム上ディスプレイ３００、スピーカ３２０）と、を有して構成する。【選択図】図４
2010108860.tif 000002
【特許請求の範囲】
【請求項１】
車両のステアリングコラムに回転可能に支持されたステアリングの一部に設けられ、押下動作によりスイッチ動作する第１クリック位置、および、さらに押下されてスイッチ動作する第２クリック位置を有するステアリングスイッチと、
前記ステアリングスイッチの前記第２クリック位置の押下動作による実行可能な機能を割り付ける機能割付部と、
前記第１クリック位置における押下動作時に前記機能割付部により前記ステアリングスイッチに割り付けられた実行可能な機能の内容を報知する報知部と、
を有することを特徴とするスイッチ装置。
【請求項２】
前記報知部は、前記ステアリングコラム上に設けられたコラム上ディスプレイに前記実行可能な機能の内容を画像情報として表示することを特徴とする請求項１に記載のスイッチ装置。
【請求項３】
前記報知部は、前記実行可能な機能の内容を音声情報としてアナウンスすることを特徴とする請求項１に記載のスイッチ装置。
【発明の詳細な説明】
【技術分野】
【０００１】
本発明は、スイッチ装置に関する。
【背景技術】
【０００２】
車両のステアリングに設けられ、操作ボタンを押下げすることにより種々の車載機器の制御を可能にするステアリングスイッチがある。この種のステアリングスイッチは、個々の操作ボタンに対して押下げにより実行可能な機能が予め割り付けられているものが多い。これに対して、ステアリングスイッチのそれぞれの操作ボタンにユーザの好みに応じた実行可能な機能を自由に割り付けることができるステアリングスイッチ装置が提案されている（例えば、特許文献１参照）。
【０００３】
特許文献１のスイッチ装置によれば、ユーザが操作スイッチを操作することで、センタークラスタＰＣに記憶された複数のステアリングスイッチ機能コードの中からステアリングスイッチ群に割り付けるステアリングスイッチ機能コードが選択できる。この割り付け後に、ユーザが、ステアリングスイッチを押下すると、センタークラスタＰＣにおいて、押下されたステアリングスイッチに割り付けられた機能が、ステアリングスイッチ機能コードを参照して特定され、それに応じた制御対象に制御信号が出力される。また、センタークラスタディスプレイやヘッドアップディスプレイによりフロントガラス上に上記のステアリングスイッチに割り付けられた割り付け機能図が表示される。
【特許文献１】特開平１０−３０８１３６号公報
【発明の開示】
【発明が解決しようとする課題】
【０００４】
しかし、特許文献１のスイッチ装置によると、操作するステアリングスイッチとその内容が表示される場所が異なるので、運転者が視線移動する必要がある。従って、ステアリングスイッチを運転中に操作する場合、安全性において問題となる場合があり、ステアリングスイッチとその表示場所は可能な限り近接しているのが好ましい。
【０００５】
従って、本発明の目的は、実行可能な機能が割り付けられたステアリングスイッチの機能内容を、視線移動することなく容易に確認できるスイッチ装置を提供することにある。
【課題を解決するための手段】
【０００６】
［１］本発明は、車両のステアリングコラムに回転可能に支持されたステアリングの一部に設けられ、押下動作によりスイッチ動作する第１クリック位置、および、さらに押下されてスイッチ動作する第２クリック位置を有するステアリングスイッチと、前記ステアリングスイッチの前記第２クリック位置の押下動作による実行可能な機能を割り付ける機能割付部と、前記第１クリック位置における押下動作時に前記機能割付部により前記ステアリングスイッチに割り付けられた実行可能な機能の内容を報知する報知部と、を有することを特徴とするスイッチ装置を提供する。
【０００７】
［２］前記報知部は、前記ステアリングコラム上に設けられたコラム上ディスプレイに前記実行可能な機能の内容を画像情報として表示することを特徴とする上記［１］に記載のスイッチ装置であってもよい。
【０００８】
［３］また、前記報知部は、前記実行可能な機能の内容を音声情報としてアナウンスすることを特徴とする上記［１］に記載のスイッチ装置であってもよい。
【発明の効果】
【０００９】
本発明によれば、実行可能な機能が割り付けられたステアリングスイッチの機能内容を、視線移動することなく容易に確認できるスイッチ装置を提供することができる。
【発明を実施するための最良の形態】
【００１０】
（本発明の実施の形態）
図１は、ステアリングスイッチを有する車両内部の斜視図である。図２は、図１におけるステアリング付近を拡大した拡大図である。図３は、ステアリングスイッチの第１クリック位置、および、第２クリック位置を示す図２におけるＡ−Ａ断面図である。図４は、本発明の実施の形態に係るスイッチ装置１の概略ブロック構成図である。図５は、ステアリングスイッチ１００の押下動作時のコラム上ディスプレイ３００上の表示部３０１の変化を示す部分平面図である。
【００１１】
（スイッチ装置１の構成）
本発明の実施の形態に係るスイッチ装置１は、車両１０のステアリングコラム２０に回転可能に支持されたステアリング３０の一部に設けられ、押下動作によりスイッチ動作する第１クリック位置、および、さらに押下されてスイッチ動作する第２クリック位置を有するステアリングスイッチ１００と、ステアリングスイッチ１００の第２クリック位置の押下動作による実行可能な機能を割り付ける機能割付部２０１と、第１クリック位置における押下動作時に機能割付部２０１によりステアリングスイッチ１００に割り付けられた実行可能な機能の内容を報知して機能確認を行なうための報知部（コラム上ディスプレイ３００、スピーカ３２０）と、を有して概略構成されている。
【００１２】
ステアリングスイッチ１００は、車両１０のステアリングコラム２０に回転可能に支持されたステアリング３０の一部に設けられ、運転者がステアリングホイール３１を把持した状態で指等により押下動作できる状態で設けられている。図１、２では、ステアリング３０の左右２箇所に設けられ、それぞれのステアリングスイッチ１００には図２で示すように第１スイッチ部１０１、第２スイッチ部１０２、第３スイッチ部１０３の３つのスイッチ部が設けられている。尚、ステアリングスイッチの配置位置はステアリング３０の左右には限られず、また、ステアリングスイッチを構成するスイッチ部は３つ以外であってもよい。
【００１３】
図３は、図２における第２スイッチ部１０２のＡ−Ａ断面図である。第２スイッチ部１０２は、押下動作可能な操作ボタン１０４と図示しない２つの接点構造とからなる。操作ボタン１０４が押されてない状態、すなわち、ＯＦＦ状態の位置１０４ａから押下動作により第１クリック位置１０４ｂで１段目のスイッチ動作が行なわれ、さらに押下動作を行なうことにより第２クリック位置１０４ｃで２段目のスイッチ動作が行なわれる。１段目および２段目のスイッチ動作においてはクリック感（節度感）を有することが好ましい。上記は第２スイッチ部１０２について説明したが、第１スイッチ部１０１、及び第３スイッチ部１０３についても同様の構成である。
【００１４】
図４は、スイッチ装置１の概略ブロック構成図である。上記したステアリングスイッチ１００は、スイッチ装置１の制御全般を行なうステアリングスイッチＥＣＵ(Electronic Control Unit)２００に接続されている。ステアリングスイッチＥＣＵ２００には、ステアリングスイッチ１００に割り付けられた実行可能な機能の内容を報知する報知部としてのコラム上ディスプレイ３００またはスピーカ３２０が接続されている。また、ステアリングスイッチＥＣＵ２００には、ステアリングスイッチ１００に機能割り付け可能な車載機器、例えば、オーディオ機器４０１、オートウインドウ装置４０２、フューエルリッド開閉装置４０３、カーナビゲーション４０４、エアコン装置４０５、・・・・・等の車載機器がＣＡＮ(Controller Area Network)、ＬＩＮ(Local Interconnect Network)等の通信ライン４００により接続されている。
【００１５】
コラム上ディスプレイ３００は、図１、２に示すように、ステアリングコラム２０の一部に設けられた表示装置であり、液晶表示装置が表示部３０１として運転者がステアリングホイール３１を把持した状態で容易に視認できる位置に配置されている。このコラム上ディスプレイ３００は、ステアリングコラム２０に設けられているので、インスツルメントパネル１１の中央付近に設けられるセンタークラスタディスプレイ１２等に比較して、ステアリングスイッチ１００に最も近くに位置し、視線移動することなく容易に視認できる表示装置である。コラム上ディスプレイ３００には種々の表示が可能であるが、例えば、オーディオ機器４０１、・・・・・等の車載機器の制御モード、制御メニュー等が表示可能である。
【００１６】
また、スピーカ３２０は、ステアリングスイッチ１００のそれぞれのスイッチ部（１０１、１０２、１０３）に割り付けられた実行可能な機能の内容を音声情報としてアナウンスする報知部として機能する。オーディオ装置４０１に備えられたスピーカと共用してもよく、また、別途専用に設けてもよい。
【００１７】
ステアリングスイッチＥＣＵ２００は、スイッチ装置１の制御全般を行なうが、機能割付部２０１を有しており、ステアリングスイッチ１００のそれぞれのスイッチ部（１０１、１０２、１０３）に実行可能な機能の割り付けを行なう。ここで、実行可能な機能は、オーディオ機器４０１、・・・・・等の車載機器の制御モード、制御メニューの単一機能の任意割り付け、単一機能を同時一括動作させる一括操作割り付け（例えば、窓開操作の単一機能を４箇所の窓全部に機能させる一括操作、等）、異なる単一機能を時系列に組み合わせたシーケンシャル操作割り付け、階層化された制御モード、制御メニューの途中にある単一機能を直接操作するショートカット割り付け、等の種々の割り付けが可能である。
【００１８】
ステアリングスイッチＥＣＵ２００には、内部に、上記示した割り付け操作を行なうためのプログラムを記憶した記憶部を有する。また、この記憶部には、上記示した種々の車載機器の制御モード、制御メニューの単一機能表示データ、また、これらの実行可能な機能の内容を音声情報としてアナウンスするための音声データ（機能確認音）、割り付ける機能の動作時の動作確認音が記憶されている。尚、上記の単一機能表示データ、音声データは、ＣＡＮ、ＬＩＮ通信を介して各車載機器から参照することも可能である。
【００１９】
従って、ステアリングスイッチＥＣＵ２００は、上記示した機能割付部２０１による種々の機能割り付けと、それに対応するアナウンス等を自由にカスタマイズする機能を有している。
【００２０】
（スイッチ装置１の動作）
図３に示す第２スイッチ部１０２の断面図を参照して、以下にスイッチ装置１の動作説明を行なう。図３（ａ）に示す操作ボタン１０４が押下動作されていないＯＦＦ状態の位置１０４ａから、操作ボタン１０４が１段下に押下動作されて図３（ｂ）の第１クリック位置１０４ｂに操作されると、機能確認が行なわれる。例えば、第２スイッチ部１０２にカーナビゲーション４０４の制御モード、制御メニューとして、「ＶＩＥＷセレクト」が割り付けられている場合、機能確認として、図５（ａ）の無表示状態から図５（ｂ）の白抜き反転文字で、「ＶＩＥＷセレクト」の文字がコラム上ディスプレイ３００上の表示部３０１に表示される。音声により機能確認する場合は、「ビューセレクト」の音声がスピーカ３２０からアナウンスされる。これらの動作は、操作ボタン１０４が第１クリック位置に押下操作されると、ステアリングスイッチＥＣＵ２００が内部の記憶部またはＣＡＮ、ＬＩＮ通信を介して表示データまたは音声データを参照して行なわれる。
【００２１】
次に、さらに操作ボタン１０４が押下動作されて、第２クリック位置１０４ｃで２段目のスイッチ動作が行なわれる。このスイッチ動作時には、動作確認が行なわれる。図５（ｃ）に示すように、黒文字で、「ＶＩＥＷセレクト」の文字がコラム上ディスプレイ３００上の表示部３０１に表示される。また、音声により動作確認する場合は、「ピッ」の確認音がスピーカ３２０から出力される。これらの動作は、操作ボタン１０４が第２クリック位置１０４ｃに押下操作されると、ステアリングスイッチＥＣＵ２００が内部の記憶部またはＣＡＮ、ＬＩＮ通信を介して表示データまたは音声データを参照して行なわれる。
【００２２】
（本発明の実施の形態の効果）
本発明の実施の形態によれば、次のような効果を有する。
（１）ステアリングスイッチＥＣＵ２００による割り付け機能により、ステアリングスイッチ１００のそれぞれのスイッチ部に種々の実行可能な機能の割り付けを行なうことができるが、割付機能を忘れてしまったときや、設定者と違う人が運転する場合に、操作ボタン１０４を１段下に押下動作することで、煩わしい行為をすることなく、簡単に割り付けられた機能を確認することができる。
（２）上記の機能確認に続いて１段目まで押下動作することにより、動作確認をすることができる。
（３）ステアリングスイッチ１００のそれぞれのスイッチ部は、１段目、２段目のクリック位置が共にメカ式に構成されているので、意図して押下動作することにより、不意に押して表示等することがない。
（４）報知手段として、コラム上ディスプレイ３００上の表示部３０１、あるいは、スピーカ３２０を使用するので、運転者が容易にステアリングスイッチ１００の割付機能の機能確認および動作確認をすることができる。コラム上ディスプレイ３００は、ステアリングコラム２０に設けられているので、ステアリングスイッチ１００に最も近くに位置し、視線移動することなく容易に視認できる。また、スピーカ３２０による音声報知により、容易に割付機能の機能確認および動作確認をすることができる。
【００２３】
尚、本発明は上記の実施の形態に限定されるものではなく、その要旨を逸脱しない範囲で種々の態様において実施することが可能である。
【図面の簡単な説明】
【００２４】
【図１】図１は、ステアリングスイッチを有する車両内部の斜視図である。
【図２】図２は、図１におけるステアリング付近を拡大した拡大図である。
【図３】図３は、ステアリングスイッチの第１クリック位置、および、第２クリック位置を示す図２におけるＡ−Ａ断面図である。
【図４】図４は、本発明の実施の形態に係るスイッチ装置１の概略ブロック構成図である。
【図５】図５は、ステアリングスイッチ１００の押下動作時のコラム上ディスプレイ３００上の表示部３０１の変化を示す部分平面図である。
【符号の説明】
【００２５】
１…スイッチ装置、１０…車両、１１…インスツルメントパネル、１２…センタークラスタディスプレイ、２０…ステアリングコラム、３０…ステアリング、３１…ステアリングホイール、１００…ステアリングスイッチ、１０１…第１スイッチ部、１０２…第２スイッチ部、１０３…第３スイッチ部、１０４…操作ボタン、１０４ａ…ＯＦＦ状態の位置、１０４ｂ…第１クリック位置、１０４ｃ…第２クリック位置、２００…ステアリングスイッチＥＣＵ、２０１…機能割付部、３００…コラム上ディスプレイ、３０１…表示部、３２０…スピーカ、４００…通信ライン、４０１…オーディオ機器、４０２…オートウインドウ装置、４０３…フューエルリッド開閉装置、４０４…カーナビゲーション、４０５…エアコン装置
【図１】
2010108860.tif 000003
【図２】
2010108860.tif 000004
【図３】
2010108860.tif 000005
【図４】
2010108860.tif 000006
【図５】
2010108860.tif 000007